(57)【特許請求の範囲】
【請求項１】
カラオケ装置とネットワークを介して通信接続可能であって、アクセスポイントからのＷｉｆｉ電波を受信可能な電波受信部を備える携帯端末で実行可能なカラオケ用プログラムであって、
対応付け処理と、遠隔操作処理と、判定処理を実行可能とし、
対応付け処理は、携帯端末とカラオケ装置を対応付け、
遠隔操作処理は、携帯端末の入力部の入力に基づくコマンド情報を、携帯端末に対応付けられているカラオケ装置に送信可能とし、
判定処理は、携帯端末とカラオケ装置が対応付けられている状態において、電波受信部が受信したＷｉｆｉ電波に含まれるアクセスポイントの識別情報を使用して適合性を判定し、判定した適合性に基づいて、携帯端末に対応付けられているカラオケ装置との対応付けを解除させる
カラオケ用プログラム。
【請求項２】
判定処理は、電波受信部が受信したＷｉｆｉ電波に含まれるアクセスポイントの識別情報の一部箇所と、携帯端末に記憶する適合情報とを比較することで適合性の判定を行う
請求項１に記載のカラオケ用プログラム。
【請求項３】
判定処理は、電波受信部が受信したＷｉｆｉ電波に含まれるアクセスポイントの識別情報について、所定条件を満たしているアクセスポイントの識別情報の数を使用して適合性の判定を行う
請求項１または請求項２に記載のカラオケ用プログラム。
【請求項４】
判定処理は、電波受信部が受信したＷｉｆｉ電波に含まれるアクセスポイントの識別情報と、対応付け処理を行ったときに、電波受信部が受信したＷｉｆｉ電波に含まれるアクセスポイントの識別情報とを比較することで適合性の判定を行う
請求項１から請求項３の何れか１項に記載のカラオケ用プログラム。
【請求項５】
判定処理は、適合性を満たしていない状態が所定時間継続したことを条件として、携帯端末に対応付けられているカラオケ装置との対応付けを解除させる
請求項１から請求項４の何れか１項に記載のカラオケ用プログラム。
【発明の詳細な説明】
【技術分野】
【０００１】
本発明は、携帯端末で実行可能なカラオケ用プログラムであって、特に、カラオケシステムを遠隔操作可能とするカラオケ用プログラムに関する。
【背景技術】
【０００２】
伴奏に合わせて歌唱を楽しむカラオケは、カラオケボックスやスナック等のナイト店において広く楽しまれている。従来、カラオケを行うためのカラオケ装置は、専用のリモコン装置を操作することで、楽曲の予約等、各種操作を行うことが可能であった。近年、スマートフォン等、個人が所有する携帯端末の高機能化に伴い、携帯端末をカラオケ装置のリモコンとして使用することが行われている。携帯端末をカラオケ装置のリモコンとして使用するには、携帯端末から発信されたコマンドを、操作対象となるカラオケ装置に送信する必要があり、事前に携帯端末と操作対象となるカラオケ装置を対応付ける必要がある。
【０００３】
また、操作対象となるカラオケ装置の使用を終えた場合、対応付けた携帯端末とカラオケ装置は解除する必要がある。解除しない場合、他のユーザが使用中のカラオケ装置を操作してしまうことが考えられる。このような携帯端末とカラオケ装置の対応付けの解除について、特許文献１には、携帯端末から選曲を予約した場合、ＧＰＳ機能を使用して、現在位置情報が演奏端末識別情報に関連付けられているエリア内かどうかを判断し、エリア以外と判断した場合には、選曲を受付けないようにすることが開示されている。
【先行技術文献】
【特許文献】
【０００４】
【特許文献１】特開２０１３−９７１３３号公報
【発明の概要】
【発明が解決しようとする課題】
【０００５】
特許文献１に開示されるカラオケ選曲システムでは、携帯端末のＧＰＳ機能を使用してペアリング許可範囲を判定している。このＧＰＳ機能においては、建物内部にいる場合、ＧＰＳ衛星を補足することが困難となり、位置の把握に対する精度が極端に悪くなってしまう。特に、建物の中心にいる等、完全にＧＰＳ衛星を補足できない場合、建物の外にいると位置検出をしてしまい、選曲操作が禁止されてしまうことが考えられる。
【０００６】
本発明はこのような課題に基づくものであり、ユーザが所持する携帯端末を使用して、適切にカラオケシステムを遠隔操作することを目的としている。
【課題を解決するための手段】
【０００７】
そのため、本発明に係るカラオケ用プログラムは、
カラオケ装置とネットワークを介して通信接続可能であって、アクセスポイントからのＷｉｆｉ電波を受信可能な電波受信部を備える携帯端末で実行可能なカラオケ用プログラムであって、
対応付け処理と、遠隔操作処理と、判定処理を実行可能とし、
対応付け処理は、携帯端末とカラオケ装置を対応付け、
遠隔操作処理は、携帯端末の入力部の入力に基づくコマンド情報を、携帯端末に対応付けられているカラオケ装置に送信可能とし、
判定処理は、携帯端末とカラオケ装置が対応付けられている状態において、電波受信部が受信したＷｉｆｉ電波に含まれるアクセスポイントの識別情報を使用して適合性を判定し、判定した適合性に基づいて、携帯端末に対応付けられているカラオケ装置との対応付けを解除させる。
【０００８】
さらに、本発明に係るカラオケ用プログラムにおいて、
判定処理は、電波受信部が受信したＷｉｆｉ電波に含まれるアクセスポイントの識別情報の一部箇所と、携帯端末に記憶する適合情報とを比較することで適合性の判定を行う。
【０００９】
さらに、本発明に係るカラオケ用プログラムにおいて、
判定処理は、電波受信部が受信したＷｉｆｉ電波に含まれるアクセスポイントの識別情報について、所定条件を満たしているアクセスポイントの識別情報の数を使用して適合性の判定を行う。
【００１０】
さらに、本発明に係るカラオケ用プログラムにおいて、
判定処理は、電波受信部が受信したＷｉｆｉ電波に含まれるアクセスポイントの識別情報と、対応付け処理を行ったときに、電波受信部が受信したＷｉｆｉ電波に含まれる識別情報とを比較することで適合性の判定を行う。
【００１１】
さらに、本発明に係るカラオケ用プログラムにおいて、
判定処理は、適合性を満たしていない状態が所定時間継続したことを条件として、携帯端末に対応付けられているカラオケ装置との対応付けを解除させる。
【発明の効果】
【００１２】
本発明に係るカラオケ用プログラムによれば、携帯端末の電波受信部で受信した電波を使用して、携帯端末が使用対象となるカラオケシステムの付近に位置しているか否かを判定し、付近に位置していないと判定した場合には、携帯端末と使用対象となるカラオケシステムの対応付けを解除することで、カラオケ店舗外からの遠隔操作等、不適切な遠隔操作の抑制を図ることが可能となる。
【図面の簡単な説明】
【００１３】
【図１】カラオケ店舗、及び、その周辺の様子を示す図
【図２】カラオケシステムの構成を示す図
【図３】携帯端末の構成を示す図
【図４】カラオケ管理システムにおける対応付け処理を示すフロー図
【図５】カラオケ管理システムにおける対応付け処理を示す模式図
【図６】カラオケ管理システムにおける遠隔操作処理を示すフロー図
【図７】カラオケ管理システムにおける遠隔操作処理を示す模式図
【図８】ユーザ情報のデータ構成を示す図
【図９】携帯端末に表示された楽曲確認画面を示す図
【図１０】リモコン装置のアクティブユーザトップ画面を示す図
【図１１】カラオケ管理システムにおける判定処理を示すフロー図
【図１２】カラオケ店舗内（部屋ａ）におけるＷｉｆｉ電波状況を示す図
【図１３】カラオケ管理システムにおける判定処理を示す模式図
【発明を実施するための形態】
【００１４】
図１は、カラオケ店舗、及び、その周辺の様子を示す図である。建物Ａには、カラオケ店舗が入居している。カラオケ店舗には、受付カウンタの他、部屋ａ〜ｆが設けられている。各部屋ａ〜ｆには、来店したユーザが、カラオケシステム３ａ〜３ｆが設置されている。来店したユーザは、受付カウンタにて割り当てられた部屋ａ〜ｆに入室し、カラオケシステム３ａ〜３ｆを使用して歌唱を楽しむことが可能となっている。
【００１５】
図２は、各部屋ａ〜ｆに設置されるカラオケシステム３ａ〜３ｆの構成例を示す図である。なお、以下の説明では、各部屋に対応して付された符号ａ〜ｆは省略して説明を行う。本実施形態におけるカラオケシステム３は、カラオケ装置２（コマンダ）と、リモコン装置１を含んで構成されている。カラオケ装置２とリモコン装置１は、ＬＡＮ１００及びアクセスポイント１１０を利用してネットワークを形成するように接続されている。
【００１６】
カラオケ店舗等に設置されるカラオケ装置２は、楽曲を演奏するための演奏手段として音響制御部２５を備えている。また、カラオケ装置２は、ユーザからの各種入力を受け付けるスイッチなどで構成されるカラオケ装置２側の入力手段としての操作部２１を備える。カラオケ装置２は、操作部２１からの入力を解釈して制御部３０に伝達する操作処理部２２を備える。また、カラオケ装置２は、各種情報を記憶するカラオケ装置側記憶手段としてのＨＤＤ３２（ハードディスク）を備える。カラオケ装置２は、ＬＡＮ１００に接続してネットワークに加入するためのカラオケ装置側通信手段としてのＬＡＮ通信部２４を備えている。
【００１７】
また、カラオケ装置２は、モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対する歌詞テロップの重畳表示、映像効果等を実行する映像制御部３１を備えている。
【００１８】
さらに、このカラオケ装置２では、外部に接続されたモニタ４１以外に、タッチパネルモニタ３３に対しても各種情報を表示することを可能としている。タッチパネルモニタ３３は映像制御部３１から入力された映像情報を表示する表示部３３ａと、タッチ入力された位置を操作処理部２２に出力するタッチパネル３３ｂが重畳されて構成されている。また、カラオケ装置２に対する各種操作は、カラオケ装置２のフロントパネル等に設けられた操作部２１を介して行うことも可能となっている。
【００１９】
本実施形態のタッチパネルモニタ３３は、リモコン装置１の操作手段であるタッチパネルモニタ１１と同様の操作手段として機能することも可能としている。ユーザはタッチパネルモニタ３３から楽曲を選択して、直接カラオケ装置２に予約をさせるなど、リモコン装置１と同等の操作手段として機能することが可能である。
【００２０】
さらに、カラオケ装置２は、各構成を統括して制御するための制御手段として、ＣＰＵにて構成される制御部３０、各種プログラムを実行するにあたって必要となる情報を一時記憶するためのメモリ２７を備えている。
【００２１】
このような構成にてカラオケ装置２は、各種処理を実行することとなるが、カラオケ装置２の主な機能として、楽曲指定処理、再生処理などを実行可能としている。楽曲指定処理は、ユーザからの指定に基づいて楽曲を指定、予約するための処理であってリモコン装置１と連携して実行される。リモコン装置１から送信された予約情報をメモリ２７に記憶する予約テーブルに登録する。再生処理は、予約された楽曲を再生させる処理であって、演奏処理と歌詞再生処理とが同期して実行される処理である。
【００２２】
演奏処理は、楽曲データに含まれる演奏データを音響制御部２５にて演奏させる処理である。音響制御部２５にて演奏された楽曲は、歌唱用マイク４４ａ、４４ｂから入力される歌唱音声と一緒にスピーカ４２から放音される。歌詞再生処理は、楽曲データに含まれる歌詞データをモニタ４１に表示させることで歌唱補助を行う処理である。この歌詞再生処理で表示される歌詞に、背景映像を重畳させて表示させる背景映像表示処理を実行することとしてもよい。
【００２３】
一方、リモコン装置１は、予約情報などカラオケ装置２に対して各種指示を送信するとともに、カラオケ装置２あるいはインターネット上に接続されたサーバ装置５から各種情報を受信する。本実施形態では、ユーザインターフェイスとしてボタンなどの操作部１７と、タッチパネルモニタ１１を備えている。タッチパネルモニタ１１は、表示部１１ａとタッチパネル１１ｂを有して構成され、表示部１１ａに各種インターフェイスを表示するとともに、ユーザからのタッチ入力を受付可能としている。
【００２４】
さらにリモコン装置１は、楽曲検索に必要とされるデータベース、各種プログラム、並びに、プログラム実行に伴って発生する各種情報を記憶するリモコン側記憶手段としてメモリ１４、そして、これら構成を統括して制御するためのリモコン側制御手段を備えて構成される。リモコン側制御手段には、ＣＰＵにて構成される制御部１５、表示部１１ａに対して表示する映像を形成する映像制御部１３、表示する映像情報を一時的に蓄えるビデオＲＡＭ１２、操作部１７からの入力を解釈して制御部１５に伝達する操作処理部１８が含まれている。
【００２５】
リモコン装置１は、無線ＬＡＮ通信部１６によって、アクセスポイント１１０と無線接続されることで、ＬＡＮ１００によって構成されるネットワークに接続される。なお、各リモコン装置１は、特定のカラオケ装置２に対して事前に対応付けされている。リモコン装置１から出力される各種指令は、対応付けされたカラオケ装置２にて受信されることとなる。
【００２６】
次に、本発明においてユーザが所持する携帯端末６について説明する。図３は、本発明の実施形態に係る携帯端末６の構成を示す図である。この携帯端末６としては、スマートフォン、タブレット端末、携帯電話等を使用することが可能である。この携帯端末６に、本発明に係るプログラム（アプリ）をインストールし、プログラム上において対応付け処理を実行することで、携帯端末６をカラオケ装置２のリモコンとして使用することが可能となる。
【００２７】
本実施形態の携帯端末６は、制御部６１、ＲＡＭ６２、記憶部６３、画像処理部６４、音響処理部６６を含んで構成された制御手段を有している。記憶部６３には、ハードディスク、ＳＳＤ等の不揮発性の記憶手段を採用することが可能である。この記憶部６３には、本実施形態における各種処理を実行可能なプログラム、そして、当該プログラムで使用する各種データが記憶される。
【００２８】
制御部６１は、ＣＰＵ等、携帯端末６全体を統括して制御する手段であり、記憶部６３に記憶されたプログラム、データに基づいて各種制御を実行する。ＲＡＭ６２には、制御部６１の制御によって生成されたデータを一時的に格納する。
【００２９】
音響処理部６６は、携帯端末６の音響関係の入出力を行う手段である。制御部６１の制御によりスピーカ６７ａに放音させる手段である。また、音響処理部６６は、マイクロホン６７ｂと接続され、マイクロホン６７ｂから周囲の音声を取り込み可能としている。
【００３０】
タッチパネル表示部６８は、画像を表示する表示部６８ｂとその表面あるいは裏面に配設されるタッチパネル６８ａを有して構成されている。タッチパネル６８ａには、静電容量方式などユーザのタッチ位置を認識可能とする各種タイプを採用することが可能である。制御部６１は、表示部６８ｂに表示を行うとともに、タッチパネル６８ａからのタッチ入力にて、表示させている画像中のどの部分にタッチ入力されたかを判定することが可能である。
【００３１】
画像処理部６４は、携帯端末６の画像関係の入出力を行う手段である。画像処理部６４は、制御部６１で形成された画像情報を表示部６８ｂに表示出力する。また画像処理部６４は、携帯端末６の前面（タッチパネル表示部６８側）に配置されたフロントカメラ６５Ｆ、もしくは、携帯端末６の背面に配置されたリアカメラ６５Ｒから画像を取り込む機能を有する。
【００３２】
本実施形態の携帯端末６は、外部と通信を行うため、携帯網通信部６９ａと、無線ＬＡＮ通信部６９ｂ（本発明における「電波受信部」）を備えている。携帯網通信部６９ａは、携帯無線網を介した無線通信を行うことが可能であり、無線基地局と無線通信することで、通話、あるいは、インターネットを使用した通信を行うことが可能である。無線ＬＡＮ通信部６９ｂは、ＬＡＮ上に接続されたアクセスポイントに無線接続することで無線ＬＡＮ通信を行うことが可能である。アクセスポイントに無線接続することで、ＬＡＮ上のネットワーク、あるいは、インターネットに通信接続することが可能である。
【００３３】
携帯端末６は、このような携帯網通信部６９ａ、あるいは、無線ＬＡＮ通信部６９ｂを使用して、インターネット上のサーバから各種処理を実行可能なプログラムを含む各種プログラム（「アプリ」とも呼ばれる）をダウンロードすることが可能である。なお、プログラムは、通信回線を利用した形態以外に、外部メモリ接続端子７２に接続された外部メモリＥＸからインストールすることとしてもよい。なお、このような携帯網通信部６９ａ、無線ＬＡＮ通信部６９ｂ以外に、近距離通信手段（赤外線通信、Ｂｌｕｅｔｏｏｔｈ（商標）など）をさらに設けることとしてもよい。
【００３４】
本実施形態の携帯端末６は、入力手段としてタッチパネル６８ａ以外に入力スイッチ７０を備えて構成されている。この入力スイッチ７０には、電源スイッチ、音量調整スイッチ、実行するプログラムによって入力用途が変更されるスイッチ等、各種スイッチを設けることが可能である。
【００３５】
本実施形態の携帯端末６は、カラオケ業者が提供するプログラムをインストール、実行することで、携帯端末６と操作対象となるカラオケ装置２とを対応付け、携帯端末６からカラオケ装置２に対して楽曲の予約コマンド等、各種コマンドを送信することを可能としている。
【００３６】
図２で説明したカラオケ店舗に設置されるカラオケシステム３において、カラオケ店舗に来店したユーザは、自己の所持する携帯端末６を使用対象となるカラオケシステムのリモコンとして機能させることを可能としている。そのため、本実施形態のカラオケ管理システムでは、ユーザが所持する携帯端末６と、使用対象となるカラオケシステムを対応付ける対応付け処理を行う。ここで、本実施形態におけるカラオケ管理システムとは、サーバ装置５と、携帯端末６で実行可能なプログラムと、少なくともカラオケ装置２を有するカラオケシステムと、を含んで構成されている。ユーザが所持する携帯端末６はカラオケ管理システムに含まれない。
【００３７】
では、携帯端末６をカラオケ装置２のリモコンとして機能させるための対応付け処理の一例を紹介する。なお、対応付け処理には、ここで紹介する例の他に各種形態が存在する。本発明では、ユーザが所持する携帯端末６と使用対象となるカラオケシステム３とを対応付ける対応付け処理であれば、様々な形態の対応付け処理を採用できるものであって、利用通信環境や、サーバ装置５の使用有無等の各種条件を問うものではない。
【００３８】
図４には、本実施形態のカラオケ管理システムにおける対応付け処理を示すフロー図が示されている。また、図５には、カラオケ管理システムにおける対応付け処理を示す模式図が示されている。本実施形態の対応付け処理は、ユーザが使用対象となるカラオケシステム３にログインするとともに、同じアカウントを使用して携帯端末６でログインすることでユーザの携帯端末６とカラオケシステム３との対応付けを行うこととしている。
【００３９】
カラオケ店舗に来店したユーザは、リモコン装置１等の入力手段を使用して、自分のアカウント情報を入力する（Ｓ３０１）。カラオケシステム３は、アカウント情報の入力に基づき、サーバ装置５に対して装置側ログイン要求を送信する（Ｓ３０１）。なお、この装置側ログイン要求には、どのカラオケシステム３からの要求であるかを特定するため、カラオケ装置ＩＤ（カラオケ装置識別情報）が含まれている。装置側ログイン要求を受信（Ｓ２０１）したサーバ装置５は、受信した端末側ログイン要求に含まれるアカウント情報を利用して認証を行う（Ｓ２０２）。認証は、アカウント情報に含まれるユーザＩＤとパスワードの対が、サーバ装置５側の記憶部５１に記憶しているものと一致するか否かで行われる。認証に成功した場合（Ｓ２０３：Ｙｅｓ）、要求のあったカラオケシステム３に対してログイン完了を通知する（Ｓ２０４）。ログインが完了したカラオケシステム３では、ログインしたユーザに対応するユーザ情報を使用した各種サービスを受けることが可能となる（Ｓ３０２）。一方、認証に失敗した場合（Ｓ２０３：Ｎｏ）には、サーバ装置５は、要求のあったカラオケシステム３に対して認証エラー情報を送信する。
【００４０】
サーバ装置５は、カラオケシステム３からのログインに成功した場合、記憶部５１に記憶している対応付けテーブルにカラオケ装置ＩＤとユーザＩＤとを追加する（Ｓ２０５）。この対応付けテーブルにて、サーバ装置５側では、どのユーザがどのカラオケシステム３にログインしているかを判別することが可能となる。
【００４１】
一方、ユーザは、自分が所持する携帯端末６において、プログラムを起動し、端末側ログイン要求をサーバ装置５に送信する（Ｓ１０１）。この端末側ログイン要求には、ユーザのアカウント情報（ユーザＩＤとパスワード）が含まれている。端末側ログイン要求を受信したサーバ装置５は、装置側ログイン要求の場合と同様、受信した端末側ログイン要求に含まれるアカウント情報を利用して認証を行う（Ｓ２０６）。認証に成功した場合（Ｓ２０７：Ｙｅｓ）、サーバ装置５は、記憶部５１に記憶している対応付けテーブルに、端末側ログイン要求を行ったユーザのユーザＩＤがあるか否かを判定し、当該ユーザＩＤが有る場合（Ｓ２０８：Ｙｅｓ）、携帯端末６とカラオケシステム３との対応付けを完了する（Ｓ２０９）。そして、要求のあった携帯端末６に対応付け完了通知を送信する（Ｓ２１０）。対応付けの完了した携帯端末６では、対応付けられたカラオケシステム３を遠隔操作する遠隔操作処理（Ｓ１１０）が実行可能となる。
【００４２】
以上、本実施形態の対応付け処理について説明を行ったが、装置側ログイン要求と端末側ログイン要求は、どちらが先にあるかを問うものではない。次に、対応付けられた携帯端末６において実行される遠隔操作処理（Ｓ１１０）の詳細について説明を行う。
【００４３】
図６は、本実施形態のカラオケ管理システムにおける遠隔操作処理を示すフロー図であり、図７は、本実施形態のカラオケ管理システムにおける遠隔操作処理を示す模式図である。図５の模式図の例に示されるように、ユーザ（ユーザＡ）が所持する携帯端末６と、当該ユーザが使用対象とするカラオケ装置２（カラオケ装置ａ）と、が対応付けられたカラオケ管理システムでは、携帯端末６からカラオケシステム３に対して、楽曲の予約等、カラオケシステム３を遠隔操作するための各種コマンド情報を送信することが可能である。
【００４４】
本実施形態では、遠隔操作処理の開始時に携帯端末６は、Ｗｉｆｉ電波状況を確認する電波状況確認処理を実行することとしている。電波状況確認処理は、対応付け処理が完了したときの携帯端末６の位置でのＷｉｆｉ電波（アクセスポイントから発せられる）の状況を確認することとしている。電波状況確認処理で確認したＷｉｆｉ電波状況は、後の判定処理で使用することが可能である。なお、判定処理は、Ｗｉｆｉ電波状況を使用しない形態も考えられる。その場合、この電波状況確認処理は省略することも可能である。
【００４５】
電波状況確認処理では、携帯端末６は、無線ＬＡＮ通信部６９ｂを使用して、Ｗｉｆｉ電波を受信して、周囲のアクセスポイントを探索する。まず、携帯端末６は、無線ＬＡＮ通信部６９ｂを使用してＷｉｆｉ電波を受信する（Ｓ１１１）。受信したＷｉｆｉ電波を解析（Ｓ１１２）し、周囲のアクセスポイントの識別情報（ＳＳＩＤ名）を抽出し、記憶部６３に記憶する（Ｓ１１３）。図１に示すカラオケ店舗の部屋ａ内において、電波状況確認処理を実行した場合、例えば、カラオケ店舗内のカラオケ店舗内のアクセスポイント１１０ａ〜１１０ｃに加え、外部のアクセスポイント（建物Ｂ内のアクセスポイント１１０ｄ、建物Ｃ内のアクセスポイント１１０ｅ）を検出することが考えられる。
【００４６】
図１２には、カラオケ店舗内（部屋ａ）におけるＷｉｆｉ電波状況が示されている。各アクセスポイント１１０ａ〜１１０ｅには、ＳＳＩＤ名が付与されており、携帯端末６は、対応付け処理を行ったときの電波状況として、ＳＳＩＤ名を記憶部６３に記憶する。なお、本実施形態では、カラオケ店舗内に設置したアクセスポイント１１０ａ〜１１０ｃについては所定規則のＳＳＩＤ名が付与されている。本実施形態では、先頭に「ｋａｒａｏｋｅ」を付与し、その後に４桁のシリアル番号を付与したＳＳＩＤ名を使用している。このようにカラオケ店舗内に設置したアクセスポイント１１０ａ〜１１０ｃのＳＳＩＤ名を所定規則とすることで、カラオケ店舗のアクセスポイントと外部のアクセスポイントを判別することが可能となる。
【００４７】
また、Ｗｉｆｉ電波からは、各アクセスポイント１１０ａ〜１１０ｅの無線ＬＡＮ電波強度を取得することが可能である。この無線ＬＡＮ電波強度を合わせて記憶することとしてもよい。あるいは、この無線ＬＡＮ電波強度が所定値以下のアクセスポイントについては、そのＳＳＩＤ名を記憶の対象から除外することとしてもよい。無線ＬＡＮ電波強度が小さい場合、Ｗｉｆｉ電波が不安定であることが考えられる。Ｗｉｆｉ電波が不安定なアクセスポイントを除外することで、後の判定処理の精度向上を図ることが可能である。
【００４８】
遠隔操作処理では、電波状況確認処理の終了後、Ｓ１２０〜Ｓ１１６の処理を繰り返し実行することで、携帯端末６によるカラオケシステム３の操作を行う。判定処理（Ｓ１２０）は、携帯端末６が使用対象となるカラオケシステム３の付近に位置しているか否かを、Ｗｉｆｉ電波状況を利用して判定する処理である。カラオケ店舗を退店した後も、携帯端末６とカラオケシステム３が対応付けられていた場合、携帯端末６を使用して、店外からカラオケシステム３を操作されてしまうことが考えられる。本実施形態では、この判定処理（Ｓ１２０）を実行することで、携帯端末６が使用対象となるカラオケシステム３の付近に位置してない場合、携帯端末６とカラオケシステム３の対応付けを解除することとしている。この判定処理（Ｓ１２０）の詳細については後で説明を行う。
【００４９】
図８には、携帯端末６のタッチパネル表示部６８に表示される楽曲確認画面が示されている。楽曲確認画面は、ユーザにより指定された楽曲名、歌手名等に基づいて指定された楽曲の詳細を示す画面であり、ユーザは楽曲確認画面にて楽曲を予約することが可能である。楽曲確認画面には、歌手名、曲名、歌い出し、楽曲に関するサムネイル画像といった楽曲関連情報６０１の他、キー設定、曲タイプ設定、投稿機能設定等、楽曲設定情報６０２が表示される。ユーザは、予約ボタン６０３を操作することで、表示されている楽曲を対応付けられたカラオケ装置２に予約することが可能となる。
【００５０】
携帯端末６では、楽曲確認画面上、予約ボタン６０３をタッチ操作する等の行為により、コマンド入力があったことを判定した場合（Ｓ１１４：Ｙｅｓ）、サーバ装置５に対して送信コマンド情報を送信する（Ｓ１１５）。送信コマンド情報には、コマンド入力に対応するコマンド（コマンドＡ）と、携帯端末６に記憶しているユーザＩＤ（ユーザＡ）が含まれている。
【００５１】
サーバ装置５は、対応付けテーブルに基づいて転送処理を実行する。転送処理では、まず、対応付けテーブル上に、携帯端末６から送られてきた送信コマンド情報内のユーザＩＤ（ユーザＡ）が存在するか否かを判定する。対応付けテーブル上に、送信コマンド情報内のユーザＩＤがある場合、転送対象となるカラオケ装置２に対して転送コマンド情報を送信する。転送コマンド情報には、送信コマンド情報内のコマンド（コマンドＡ）と、宛先としてのカラオケ装置ＩＤ（カラオケ装置ａ）と、コマンドを入力したユーザのユーザＩＤ（ユーザＡ）が含まれている。転送コマンド情報を受信したカラオケ装置２（カラオケ装置ａ）は、転送コマンド情報に含まれるコマンド（コマンドＡ）に従って処理を実行する。
【００５２】
携帯端末６を使用した遠隔操作処理は、携帯端末６において終了指示（ログアウト、あるいは、対応付け解除の指示）が入力される（Ｓ１１６：Ｙｅｓ）まで、繰り返し実行される。終了指示が入力された場合（Ｓ１１６：Ｙｅｓ）、携帯端末６は、サーバ装置５に対応付け解除指示を送信する（Ｓ１１７）。対応付け解除指示を受信したサーバ装置５は、対応付けテーブルから該当する項目（カラオケ装置ＩＤとユーザＩＤの対）を削除する。
【００５３】
ログインした携帯端末６では、サーバ装置５から受信したユーザ情報を使用した各種処理を実行することが可能である。図９には、ログインしたユーザに各種サービスを提供するため、サーバ装置５の記憶部５１に記憶管理するユーザ情報のデータ構成が示されている。このユーザ情報は、ユーザ毎（アカウント情報毎）に記憶管理され、ユーザＩＤとパスワードで構成されたアカウント情報の他、個人情報、マイうたテーブル、マイアーティストテーブルといった、ユーザに関する各種情報を含んで構成される。ユーザ情報は、サーバ装置５の記憶部５１に予め記憶されている。個人情報には、ユーザ名（実際の名前に限ったものでなく、ニックネームであってもよい）、性別、年齢、うた年齢、居住地、趣味などを含んで構成される。
【００５４】
マイうたテーブルは、ユーザによって登録された楽曲を記憶するテーブルであって、楽曲識別情報、音程調整値、過去の歌唱採点情報（最高点、もしくは、過去複数回のもの）などを含んで構成されている。ユーザは、このマイうたテーブルに基づいて、過去に登録したお気に入りの楽曲を呼び出して予約、演奏することが可能となる。その際、登録した音程調整値を利用することで、自分の歌唱にあった音程で演奏（再生）を行うこともできる。
【００５５】
マイアーティストテーブルは、ユーザによって登録されたアーティスト（歌手）を記憶するテーブルであって、歌手識別情報を含んで構成されている。ユーザは、このマイアーティストテーブルに基づいて、登録したお気に入りのアーティストの楽曲（持ち歌、あるいは、関連楽曲）を呼び出して予約、演奏することが可能となる。
【００５６】
履歴テーブルは、ユーザが過去に演奏した楽曲に関する各種情報を記録した情報であって、本実施形態では、過去に演奏した（当該ユーザが予約、演奏した）楽曲について、楽曲の楽曲識別情報、演奏した日時を示す歌唱日時、採点情報などを含んで構成されている。ユーザは、この履歴テーブルに基づいて、過去に演奏した楽曲を呼び出して歌唱することができる。
【００５７】
本実施形態では、ユーザはカラオケシステム３にもログインしているため、リモコン装置１では、ログインしているユーザ（ユーザＡ）のユーザ情報を使用した遠隔操作処理を行うことが可能である。図１０には、カラオケシステムにログインした際、リモコン装置１のタッチパネルモニタ１１に表示されるアクティブユーザトップ画面が示されている。アクティブユーザトップ画面では、複数人がログインした状態ではログインユーザ欄１０３にログインしたユーザの分身像１０３ａ〜１０３ｅ（本実施形態では顔部分）が表示される。またログインユーザ欄１０３中、右端に背景がハイライトで示されるユーザは、アクティブユーザ１０３ｅであって、図に示す状態では、このアクティブユーザ１０３ｅに対するサービス、すなわち、アクティブユーザ１０３ｅのユーザ情報を利用したサービスが実行されている状態となっている。このアクティブユーザトップ画面では、「曲を探す」を選択することで、従来の歌本と同様、歌手名、楽曲名に基づく検索を行うことができる。
【００５８】
リモコン装置１の操作により、入力されたコマンド（コマンドＢ）は、ユーザＩＤ（ユーザＡ）と一緒に、コマンド情報としてカラオケ装置２に送信される。コマンド情報を受信したカラオケ装置２（カラオケ装置ａ）は、コマンド情報に含まれるコマンド（コマンドＢ）に従って処理を実行する。ユーザ情報を受信したカラオケ装置２（カラオケシステム）では、携帯端末６の場合と同様、受信したユーザ情報中の各種テーブル（マイうたテーブル、マイアーティストテーブル、履歴テーブル等）を使用した各種処理を実行することが可能である。
【００５９】
次に、本実施形態の判定処理について詳細に説明する。図１１には、カラオケ管理システムにおける判定処理を示すフロー図が示されている。また、図１３には、カラオケ管理システムにおける判定処理を示す模式図が示されている。判定処理は、ユーザの携帯端末６と、使用対象となるカラオケシステム３が対応付けされている期間（遠隔操作処理の期間中に対応）、繰り返し実行される処理であり、携帯端末６の無線ＬＡＮ通信部６９ｂにて受信するＷｉｆｉ電波状況を使用して、携帯端末６が使用対象となるカラオケシステム３の付近に位置しているか否かを判定する。
【００６０】
まず、携帯端末６で実行されるプログラムは、制御部６１に対して計時タイマをリセットし、初期値０からカウントを開始させる（Ｓ１２１）。計時タイマが所定時間（この例では、５分）経過したことを判定した場合（Ｓ１２２：Ｙｅｓ）、プログラムは、無線ＬＡＮ通信部６９ｂにＷｉｆｉ電波を受信させ（Ｓ１２３）、受信したＷｉｆｉ電波を解析し、Ｗｉｆｉ電波に含まれるアクセスポイントの識別情報（ＳＳＩＤ名）を抽出する（Ｓ１２４）。そして、抽出したＳＳＩＤ名が所定条件に適合するか否かを判定する（Ｓ１２５）。所定条件に適合していた場合（Ｓ１２５：Ｙｅｓ）には、判定処理の先頭に戻り、次の所定時間の経過に備える。一方、所定条件に適合していない場合（Ｓ１２５：Ｎｏ）には、携帯端末６は、サーバ装置５に対応付け解除指示を送信（Ｓ１２６、図１３の第２の丸）し、判定処理を終了する。対応付け解除指示を受信したサーバ装置５は、対応付けテーブルから該当する項目（カラオケ装置ＩＤとユーザＩＤの対）を削除する（図１３の第３の丸）。
【００６１】
ここで、Ｓ１２５で判定する所定条件について説明する。携帯端末６を所持するユーザがカラオケ店舗から退店した場合（図１３の第１の丸）、Ｗｉｆｉ電波状況が変化することが考えられる。本実施形態では、Ｗｉｆｉ電波状況を使用して、携帯端末６が使用対象となるカラオケシステム３の付近に位置しているか否かを判定する。以下にいくつかの判定処理の実施例を説明する。
【００６２】
（第１実施例）
図６のフロー図で説明したように、電波状況確認処理において、携帯端末６は、対応付け処理を行ったときの電波状況（ＳＳＩＤ名）を記憶している。この対応付け処理を行ったときの電波状況（ＳＳＩＤ名）と、判定処理時に取得した電波状況（ＳＳＩＤ名）とを対比して、適合性を判定することが考えられる。図１３の例では、カラオケ店舗（部屋ａ）内において、対応付け処理を行ったときの電波状況と、退店後の電波状況が示されている。判定処理では、対応付け処理で取得したＳＳＩＤ名と、判定処理時に取得したＳＳＩＤ名の一致によって適合性を判定する。対応付け処理で取得したＳＳＩＤ名と、判定処理時に取得したＳＳＩＤ名が全て一致している形態の他、所定数以上のＳＳＩＤ名が一致することで適合性を判定することが考えられる。図１３の模式図では、退店したこと（第１の丸）により、対応付け処理時に取得したＳＳＩＤ名が、５から１に減少している。このような場合、適合性を満たしていないと判定される。
【００６３】
なお、第１実施例の判定処理では、カラオケ店舗内に設置したアクセスポイント１１０ａ〜１１０ｃのみを判定の対象としてもよい。言い換えると、外部のアクセスポイント１１０ｄ、１１０ｅを判定の対象としないこととなる。前述したように、本実施形態では、カラオケ店舗内に設置したアクセスポイント１１０ａ〜１１０ｃは、所定規則に従うＳＳＩＤ名（先頭に「ｋａｒａｏｋｅ」が付与されたＳＳＩＤ名）が付与されている。このようなＳＳＩＤ名を判定の対象とすることで、電波状況が不安定な外部のアクセスポイント１１０ｄ、１１０ｅを排除して判定を行い、精度の高い判定結果を得ることが可能となる。
【００６４】
（第２実施例）
また、判定処理では、電波状況確認処理を使用しない形態も考えられる。この場合、判定処理で取得したＳＳＩＤ名内に、所定規則に従うＳＳＩＤ名（先頭に「ｋａｒａｏｋｅ」が付与されたＳＳＩＤ名）の有無により適合性が判定される。このような形態では、カラオケ店舗で用意したアクセスポイント１１０ａ〜１１０ｃのＳＳＩＤ名が、Ｗｉｆｉ電波に含まれるか否かを判定することで、携帯端末６が使用対象となるカラオケシステム３の付近に位置しているか否かを判定することが可能となる。なお、この形態では、所定規則に従うＳＳＩＤ名の数ｎが所定値以上であるか否かを適合性に使用することも可能である。
【００６５】
（第３実施例）
また、判定処理では、来店しているカラオケ店舗で管理しているアクセスポイント１１０ａ〜１１０ｃのＳＳＩＤ名を携帯端末６に送信し、これを判定の対象として使用することとしてもよい。図４で説明した対応付け処理では、サーバ装置５は、携帯端末６を使用しているユーザが、どのカラオケシステム３を使用しているか（どのカラオケ店舗にいるのか）を判別することが可能である。このような場合、サーバ装置５は、携帯端末６に対して、カラオケ店舗で管理しているアクセスポイント１１０ａ〜１１０ｃのＳＳＩＤ名を携帯端末６に送信することが可能である。携帯端末６に対するＳＳＩＤ名の送信は、このような形態に限らず、カラオケシステム３側から携帯端末６に送信する等、各種形態を採用することが可能である。各カラオケ店舗で使用しているアクセスポイント１１０ａ〜１１０ｃのＳＳＩＤ名を使用することで、ＳＳＩＤ名の全ての桁を判定の対象とすることが可能となり、判定精度の向上を図ることが可能となる。
【００６６】
また、第３実施例では、携帯端末６を使用しているユーザが、どのカラオケシステム３を使用しているかが分かるため、使用しているカラオケシステム３に対応したＳＳＩＤ名を送信することも可能である。広いカラオケ店舗、あるいは、複数階にわたるカラオケ店舗では、カラオケシステム３に対応したＳＳＩＤ名を使用することで、より精度高く、携帯端末６が使用対象となるカラオケシステム３の付近に位置しているか否かを判定することが可能となる。
【００６７】
（応用例）
以上、説明した第１〜第３実施例において、以下の形態を追加することも可能である。判定処理では、適合性を満たしていない状態が所定時間継続したことを条件としてもよい。カラオケ店舗では、携帯端末６で電話をかける、あるいは、トイレに行く等、一時的に部屋を離れる場合がある。このような場合に、対応付けが解除されてしまうと、再度、対応付け処理を行う必要があり、ユーザに面倒をかけてしまうことが考えられる。適合性を満たしていない状態が所定時間継続することを条件に追加することで、再度、対応付け処理を行うことの抑制を図ることが可能となる。
【００６８】
また、判定処理では、ＳＳＩＤ名を使用することに加え、判定処理内で都度取得するＷｉｆｉ電波について、無線ＬＡＮ電波強度を使用することとしてもよい。Ｗｉｆｉ電波は、遠くまで届くように設定されている場合がある。例えば、所定値以下の無線ＬＡＮ電波強度のＳＳＩＤ名は、判定の対象から除外することで、判定の精度向上を図ることが可能となる。
【００６９】
以上、各種実施例で説明したように判定処理では、Ｗｉｆｉ電波状況を使用して、携帯端末６が使用対象となるカラオケシステム３の付近に位置しているか否かを判定し、付近に位置していないと判定した場合には、携帯端末６と使用対象となるカラオケシステム３の対応付けを解除することで、カラオケ店舗外からの遠隔操作等、不適切な遠隔操作の抑制を図ることが可能となる。
【符号の説明】
【００７０】
１ａ、１ｂ…リモコン装置                     ５…サーバ装置
１１…タッチパネルモニタ                     ５１…記憶装置
１１ａ…表示部                               ６…携帯端末
１１ｂ…タッチパネル                         ６１…制御部
１２…ビデオＲＡＭ                           ６２…ＲＡＭ
１３…映像制御部                             ６３…記憶部
１４…メモリ                                 ６４…画像制御部
１５…ＣＰＵ                                 ６５Ｆ…フロントカメラ
１６…無線ＬＡＮ通信部                       ６５Ｒ…リアカメラ
１７…操作部                                 ６６…音響処理部
１８…操作処理部                             ６７ａ…スピーカ
１９…赤外線通信部                           ６７ｂ…マイクロホン
２…カラオケ装置（コマンダ）                 ６８…タッチパネル表示部
２１…操作部                                 ６８ａ…タッチパネル
２２…操作処理部                             ６８ｂ…表示部
２３…赤外線通信部                           ６９ａ…携帯網通信部
２４…ＬＡＮ通信部                           ６９ｂ…無線ＬＡＮ通信部
２５…音響制御部                             ７０…入力スイッチ
２７…メモリ                                 ７１…外部入力端子
２８…ビデオＲＡＭ                           ４１…モニタ
２９…映像再生部                             ７２…外部メモリ接続端子
３０…制御部                                 ８１…音響制御部
３１…映像制御部                             ８２…スピーカ
３２…ＨＤＤ（ハードディスク）               １００…ＬＡＮ
４２…スピーカ                               １１０…アクセスポイント
４４ａ、４４ｂ…歌唱用マイク（マイクロホン） １２０…ルータ
【図１】
0006356565.tif 000002
【図２】
0006356565.tif 000003
【図３】
0006356565.tif 000004
【図４】
0006356565.tif 000005
【図５】
0006356565.tif 000006
【図６】
0006356565.tif 000007
【図７】
0006356565.tif 000008
【図８】
0006356565.tif 000009
【図９】
0006356565.tif 000010
【図１０】
0006356565.tif 000011
【図１１】
0006356565.tif 000012
【図１２】
0006356565.tif 000013
【図１３】
0006356565.tif 000014